(57)【要約】      （修正有）【課題】シャワーとブラシを一体化し、かつそれぞれ独立に駆動できるシャワー洗浄兼用ブラシを提供する。【解決手段】シャワーヘッド１を備え、それは、一体成型または二つ以上の外殼体により構成され、適当箇所に水入口１０と水出口１１を備え、別の箇所に収容溝１２を設ける。前記収容溝１２にはブラシ装置２を設け、前記ブラシ装置２はモーター２１とブラシ底体２２を備え、モーター２１は出力軸２１１によってブラシ底体２２を連動回転させ、ブラシ底体２２上には複数のブラシ毛２２１を設ける。また、前記モーター２１の電力取得は、蓄電部品２３の供給による。【選択図】図３
0003157194.tif 000002
【実用新案登録請求の範囲】
【請求項１】
入浴用シャワーヘッドとして、適当箇所に水入口と水出口を設け、適当箇所にブラシ装置を設け、前記ブラシ装置は水出口と一緒の構造ではなく、前記ブラシ装置はモーター、ブラシ底体、及び蓄電部品を備え、蓄電部品が供給する電力をモーターに提供してブラシ底体を回転させることを特徴とするシャワー洗浄兼用ブラシ。
【請求項２】
前記シャワーヘッドは、一体成型または二つ以上の外殼体により構成され、前記ブラシ装置はシャワーヘッドの収容溝内に設け、前記モーターは出力軸によってブラシ底体を連動してそれを回転させ、前記ブラシ底体上には複数のブラシ毛を設けることを特徴とする請求項１記載のシャワー洗浄兼用ブラシ。
【請求項３】
前記ブラシ装置と水出口は、同一面或いは異なる面に設け、前記蓄電部品は無線磁気誘導或いは有線方式で充電し、前記ブラシ底体は更換可能式、前記シャワーヘッドにはセンサー部品を備え、それが自動的に探知を行い、並びに、自動的にブラシ装置を起動させることを特徴とする請求項１記載のシャワー洗浄兼用ブラシ。
【考案の詳細な説明】
【技術分野】
【０００１】
本考案のシャワー洗浄兼用ブラシは、新規の複合式の入浴道具に関するもので、特にシャワーヘッドの水の出ない箇所に増設するブラシの構造である。
【背景技術】
【０００２】
科学技術の進歩に伴い、智慧と経験が間断なく累積され、多くの日常生活用品の機能は、絶えず変化、日進月歩を遂げており、その目的は、使用便利性を向上させ、並びに、更に多くの付加機能を加え、消費者の購買欲を煽り、商業行為を継続し、メーカーの利潤と社会の発展を創造することにある。
【０００３】
伝統的な入浴は、洗面器に水を入れて体にかけるだけであったが、後にシャワーヘッドを使う方法に変化し、そのホースと水の出るヘッドを利用して水供給方向を確実に掌握することにより、体を洗ったりシャンプーするのが気軽に簡単にできるようになった。
【０００４】
シャワーヘッド式の入浴道具の歴史も長く、機能には実に更なる進歩と向上の空間を擁する。そこで、考案人は既に有る制限に基づき、特別に本考案を研究開発し、本考案の提出によって入浴道具の機能を向上させ、消費者の実際要求を満足させる。
【考案の概要】
【考案が解決しようとする課題】
【０００５】
本考案は、公知の入浴道具の機能を向上させるためにシャワー洗浄兼用ブラシを提供する。
【課題を解決するための手段】
【０００６】
本考案のシャワー洗浄兼用ブラシの主な目的は、便利な入浴用ブラシを提供することにあり、特に、水の供給と洗浄機能を兼ね備えたものである。
【０００７】
前述目的を達成するために、本考案の具体的な内容は、既にあるシャワーヘッドの特に水の出ない箇所にブラシ装置を増設する。
【０００８】
前記ブラシ装置は、モーターを備え、それは蓄電部品に係合して電力を取得し、前記モーターはブラシ底体を駆動して作動させる。これにより、本考案のシャワーヘッドは、水を供給できる他、水供給に影響を与えない条件のもと、ブラシ装置を作動し、便利に人体をブラシで洗う作用を起こすことができる。
【考案の効果】
【０００９】
前述技術手段によって、本考案が達成できる効果は具体的に、単一のシャワーヘッドが同時に二つの機能を備えるため、片手で持つだけで使用でき、入浴時の便利性を効果的に高め、シャワーヘッドの付加価値を向上させることにある。
【図面の簡単な説明】
【００１０】
【図１】本考案の立体分解図である。
【図２】本考案の立体外観図である。
【図３】本考案の断面使用状態図である。
【図４】本考案の別の実施例に関する立体分解図である。
【図５】本考案の別の実施例に関する立体外観図である。
【図６】本考案の別の実施例に関する断面使用状態図である。
【考案を実施するための形態】
【００１１】
本考案の「シャワー洗浄兼用ブラシ」の構造及びそれが生じさせる効果について、図面を参照しながら、実施例に基づき次のとおり詳細説明を行う。
【００１２】
図１及び図２に示すとおり、本考案の「シャワー洗浄兼用ブラシ」は、シャワーヘッド1を備え、それは、一体成型または二つ以上の外殼体により構成され、適当箇所に水入口10と水出口11を備え、別の箇所に収容溝12を設ける。前記収容溝12にはブラシ装置2を設け、前記ブラシ装置2はモーター21とブラシ底体22を備え、モーター21は出力軸211によってブラシ底体22を連動回転させ、ブラシ底体22上には複数のブラシ毛221を設ける。また、前記モーター21の電力取得は、蓄電部品23の供給だけに頼る。
【００１３】
図２に示すとおり、前記シャワーヘッド1を使用する場合は、ホース3末端に装着し、水源を取得する。図３に示すとおり、水源を開くと、水がホース3からシャワーヘッド1内部に進入し、最後に水出口11の板片111の穴から噴出して便利にシャワーが使える。この時、前記シャワーヘッド1の機能と公知のものとは全く同じである。しかし、ブラシ装置2を起動すると、蓄電部品23が電力をモーター21に供給し、即刻、連動するブラシ底体22を回転し、ブラシ毛221によって人体を洗い、毛根と皮膚等を清潔にする効果を発揮する。
【００１４】
本考案のブラシ装置2は、水出口11と同一面に設置可能であり、また、異なる面への設置も可能である。例えば図４、図５、図６に示すとおり、前記シャワーヘッド1の一側面にブラシ装置2を設置し、それに対応する他側面に水出口11を設け、これによって同様な効果を達成する。
【００１５】
本考案の蓄電部品23は、充電方式によって電気エネルギーを補充する(例えば、無線磁気誘導充電や有線充電など)。ブラシ底体22は、更換可能式な構造であり、例えば、家の中に多くの人がいる場合、個別に購入し随時更換も可能であり、個人専用の衛生要求に叶うものとなる。
【００１６】
本考案のシャワーヘッド1の任意の位置には、センサー部品を増設可能であり、これにより、シャワーヘッド1が人体に近付くと、センサー部品が自動的に探知し、自動的にブラシ装置2を作動させ、適当な時間の後、自動的に停止する。当然ながら、ブラシ装置2の作動は手動方式で制御することも可能である。
【符号の説明】
【００１７】
１−−−−−−シャワーヘッド
１０−−−−−水入口
１１−−−−−水出口
１１１−−−−板片
１２−−−−−収容溝
２−−−−−−ブラシ装置
２１−−−−−モーター
２１１−−−−出力軸
２２−−−−−ブラシ底体
２２１−−−−ブラシ毛
２３−−−−−蓄電部品
３−−−−−−ホース
【図１】
0003157194.tif 000003
【図２】
0003157194.tif 000004
【図３】
0003157194.tif 000005
【図４】
0003157194.tif 000006
【図５】
0003157194.tif 000007
【図６】
0003157194.tif 000008